(57)【特許請求の範囲】
【請求項１】
用紙上に画像を形成する画像形成部と、画像形成された該用紙が排紙口を介して外部に排紙されたことを検出する排紙センサとを有する画像形成装置と、
前記排紙口と配列された搬入口を有し、前記画像形成装置の前記排紙センサが検出した用紙排紙信号を用いて、前記搬入口から搬入された前記用紙の仕上げ処理を行う用紙仕上げ装置と、を備えたことを特徴とする画像形成システム。
【請求項２】
用紙仕上げ装置が、
用紙搬送方向に用紙を搬入するように回転する搬入ローラと、
用紙搬送方向に用紙を搬出し、用紙排紙信号を排紙センサより受けた時点から第１の所定時間（Ｔ＝Ｔ１）経過した後、用紙搬出を一旦停止することにより、用紙に湾曲部を与え、さらに第２の所定時間（Ｔ＝Ｔ２）経過した後、用紙搬出を再開するように回転する搬出ローラと、
第１の所定時間（Ｔ＝Ｔ１）経過後、第２の所定時間（Ｔ＝Ｔ２）が経過するまでに湾曲部を有する用紙をパンチ穿孔処理するパンチ穿孔手段と、を有することを特徴とする請求項１の画像形成システム。
【請求項３】
ユーザが、第１の所定時間（Ｔ＝Ｔ１）を選択することにより、湾曲部の湾曲の度合いを調整できることを特徴とする請求項２の画像形成システム。
【発明の詳細な説明】
【０００１】
【発明の属する技術分野】
本発明は、例えば、複写機、プリンタなどの画像形成装置により画像形成された用紙にバインダ用の穿孔を設けるための用紙仕上げ装置を含む画像形成システムに関する。
【０００２】
【従来の技術】
図８および９を参照しながら、従来の画像形成システム１００について説明する。この画像形成システム１００は、概略、画像形成装置１０１と用紙仕上げ装置１０２とから構成される。以降、理解しやすくするために、この画像形成装置１０１および用紙仕上げ装置１０２は、各々、一般の複写機およびフィニッシャであるとして説明する。
【０００３】
図８に示すように、複写機１０１は、概略、ユーザにより操作パネル１１０を用いて予めプログラムした情報に基づいて、自動原稿搬送装置（ＡＤＦ）１１２上に載置された原稿１０３を、原稿カバー１１４上に搬送し、再び自動原稿搬送装置（ＡＤＦ）１１２上に載置する間に、原稿読取装置１１６により原稿１０３上の画像を読取り、この読取った画像を用紙トレイ１１８に格納される適当な大きさの用紙１０４上に、画像形成部１１９にて画像形成し、排紙経路１２０に搬送する。このとき、上述の各装置は、複写機制御部１３０と電気的に接続され（図示せず）、複写機制御部１３０により制御される。ユーザは、この操作パネル１１０を用いて、複写枚数をはじめ、ソート処理および本発明に係るパンチ穿孔処理などの処理に関する機能を予めプログラムすることができる。図９に示すように、操作パネル１１０は複写機制御部１３０と電気的に接続されており、複写機制御部１３０は、プログラムされた処理内容に基づき、これらの装置を駆動する。
【０００４】
さらに、排紙経路１２０上には、例えば、フォトインタラプタなどの用紙排紙センサ１２２が設けてあり、これにより用紙排紙センサ１２２の位置における用紙１０４の有無を検出することができる。また、図９で同様に示すように、この用紙排紙センサ１２２は複写機制御部１３０と電気的に接続されており、この検出信号を複写機制御部１３０に供給することができる。なお、この複写機制御部１３０は、排紙経路１２０上を搬送される用紙の搬送速度が一定しているため、用紙排紙センサ１２２が用紙ありと検出している時間を計測することにより、搬送方向の用紙の長さを計測することができる。
【０００５】
複写機１０１の排紙口１２４の近くには、排紙ローラ１２６が設けてあり、これにより画像形成された用紙１０４が確実に排紙口１２４より外へ排紙される。
【０００６】
一方、用紙仕上げ装置１０２は、複写機１０１から排紙された用紙１０４にバインダ用の穴をあける（パンチ穿孔処理）ことができるフィニッシャ１０２であって、パンチ穿孔処理の他にも、ソート処理およびステイプル処理などを行うことができるものであってもよい。
【０００７】
ところで、従来、さまざまなフィニッシャ１０２が提案されており、例えば、複写機１０１から排紙された用紙１０４にバインダ用の穴をあけることができるものがある。その一例として、特開平７−１８６０９８号に記載のフィニッシャ１０２は、概略、搬入口１４０の近くに設けた給紙センサ１４２、搬送経路１４４、穿孔部材１４６、搬送ローラ１４８、および搬出口１５０の外側に設けた排紙トレイ１５２を備えており、フィニッシャ制御部１６０により、給紙センサ１４２、穿孔部材１４６、および搬送ローラ１４８の各構成部品が制御される。このフィニッシャ１０２においては、フィニッシャ１０２に内蔵された給紙センサ１４２が用紙１０４の後端を検出した時点を基準として、所定時間が経過した後、穿孔部材１４６が用紙１０４に穴をあける。
【０００８】
【発明が解決しようとする課題】
しかしながら、フィニッシャ１０２が、用紙１０４の後端を検出してから所定時間経過した後、穿孔部材１４６が用紙１０４を穿孔するようにした構成されている場合、その搬送経路１４４を少なくとも搬送方向の用紙１０４の長さよりも長くしておく必要がある。これは、給紙センサ１４２から穿孔部材１４６までの搬送経路１４４の距離を増長し、フィニッシャ１０２の搬送方向の長さ（フィニッシャ１０２としての幅）を短縮する上で非常に大きな問題であった。つまり、給紙センサ１４２を用いて、用紙１０４の後端を検出した時点を基準として、用紙１０４の穿孔処理を行うように構成されたフィニッシャ１０２において、その大きさ（嵩）を小さくすることには、構成上の本質的な限界があった。
【０００９】
また、上述のとおり、通常、複写機１０１にも排紙センサ１２２が設けられており、同様の機能を有するセンサが複写機１０１とフィニッシャ１０２の両方に設けることは、全体の画像形成（複写機）システム１００としての生産コストの増大をもたらす。
【００１０】
そこで、本発明の目的は、用紙仕上げ装置から給紙センサを省略して、画像形成装置に内蔵された排紙センサからの情報を用いて用紙仕上げ処理を行うことにより、用紙仕上げ装置の小型化を図り、かつ生産コストの削減を実現する画像形成システムを提供することにある。
【００１１】
【課題を解決するための手段】
本発明の請求項１に係る画像形成システムは、用紙上に画像を形成する画像形成部と、画像形成された該用紙が排紙口を介して外部に排紙されたことを検出する排紙センサとを有する画像形成装置と、前記排紙口と配列された搬入口を有し、前記画像形成装置の前記排紙センサが検出した用紙排紙信号を用いて、前記搬入口から搬入された前記用紙の仕上げ処理を行う用紙仕上げ装置と、を備える。これにより、用紙仕上げ装置を小型化できるとともに、センサの部品点数を１つ少なくでき、生産コストを削減することができる。
【００１２】
また、本発明の請求項２に係る画像形成システムにおいて、用紙仕上げ装置が、用紙搬送方向に用紙を搬入するように常に回転する搬入ローラと、用紙搬送方向に用紙を搬出し、用紙排紙信号を排紙センサより受けた時点から第１の所定時間（Ｔ＝Ｔ1）経過した後、用紙搬出を一旦停止することにより、用紙に湾曲部を与え、さらに第２の所定時間（Ｔ＝Ｔ2）経過した後、用紙搬出を再開するように回転する搬出ローラと、第１の所定時間（Ｔ＝Ｔ1）経過後、第２の所定時間（Ｔ＝Ｔ2）が経過するまでに湾曲部を有する用紙をパンチ穿孔処理するパンチ穿孔手段と、を有する。これにより、用紙が斜行して搬送された場合であっても、用紙後端から正確な距離にある位置にパンチ穴をあけることができる。
【００１３】
さらに、本発明の請求項３に係る画像形成システムにおいて、ユーザが、第１の所定時間（Ｔ＝Ｔ1）を選択することにより、湾曲部の湾曲の度合いを調整することができる。これにより、例えば、普通紙または厚紙の用紙の材質に対して適当な湾曲の度合いを用紙に与えることができる。また、機差による仕上げ処理位置のばらつきを補正することができる。
【００１４】
【発明の実施の形態】
図面を参照しながら、本発明に係る画像形成システムの実施形態について説明する。
【００１５】
まず、図１および図２を参照して、本発明に係る画像形成システムの構成を説明する。図１および図２は、この画像形成システムの構成を示す概略図およびブロック図である。
この画像形成システム１は、概略、画像形成装置２と用紙仕上げ装置３とから構成される。以降、理解しやすくするために、この画像形成装置２は一般の複写機であるとして説明するが、プリンタであってもよく、本発明は、画像形成装置２のいかんにより限定して解釈されるものではない。
【００１６】
図１に示すように、複写機２は、概略、ユーザが操作パネル１０を用いて予めプログラムした情報に基づいて、自動原稿搬送装置（ＡＤＦ）１２に載置された原稿４を、原稿カバー１４上に搬送し、再び自動原稿搬送装置（ＡＤＦ）１２に載置する間に、原稿読取装置１６により原稿４上の画像を読取り、この読取った画像を用紙トレイ１８に格納される適当な大きさの用紙５上に、画像形成部１９にて画像形成し、排紙経路２０に搬送する。このとき、上述の各装置は、複写機制御部３０と電気的に接続され（図示せず）、複写機制御部３０により制御される。ユーザは、この操作パネル１０を用いて、複写枚数をはじめ、ソート処理および本発明に係るパンチ穿孔処理などの処理に関する機能を予めプログラムすることができる。図２に示すように、操作パネル１０は複写機制御部３０と電気的に接続されており、複写機制御部３０は、プログラムされた処理内容に基づき、これらの装置を駆動する。
【００１７】
さらに、排紙経路２０上には、例えば、フォトインタラプタなどの用紙排紙センサ２２が設けてあり、これにより、排紙センサ２２の位置における用紙５の有無を検出することができる。また、図２で同様に示すように、この排紙センサ２２は複写機制御部３０と電気的に接続されており、この検出信号を複写機制御部３０に供給することができる。なお、この複写機制御部３０は、排紙経路２０上を搬送される用紙の搬送速度が一定しているため、用紙排紙センサ２２が用紙ありと検出している時間を計測することにより、搬送方向の用紙５の長さを計測することができる。
【００１８】
複写機２の排紙口２４の近くには、排紙ローラ２６が設けてあり、これにより画像形成された用紙５が確実に排紙口２４より外へ排紙される。
【００１９】
本発明に係る画像システムの用紙仕上げ装置３は、複写機２から排紙された用紙５にバインダ用の穴をあける（パンチ穿孔処理）ことができるフィニッシャ３であって、パンチ穿孔処理の他にも、ソート処理およびステイプル処理を行うことができるものであってもよい。
【００２０】
このフィニッシャ３は、概略、フィニッシャ制御部４０、複写機２の排紙口２４と配列した搬入口４２、搬入口４２付近に設置したレジストローラ４４、搬送ローラ４６、これらローラの間に設けた搬送経路４８、および搬送経路４８上に設けたパンチ穿孔部５０を備えている。パンチ穿孔部５０は、上述のとおり、用紙５にバインダ用の穴をあけるためのものである。図２に示すように、フィニッシャ制御部４０は、これらレジストローラ４４と搬送ローラ４６を駆動するためのレジストモータ４５、搬送モータ４７、およびパンチ穿孔部５０を駆動するための電磁スプリングクラッチ５１と電気的に接続するとともに、複写機制御部３０とも電気的に接続している。
【００２１】
次に、図３および図４を参照して、レジストローラ４４、パンチ穿孔部５０、および搬送ローラ４６について詳細説明する。図３は、これらの構成部品を示す斜視図である。レジストローラ４４および搬送ローラ４６は、各々、レジストモータ４５および搬送モータ４７により回転することができる。パンチ穿孔部５０は、レジストモータ４５と電磁スプリングクラッチ５１が動作することにより回転することができるパンチローラ５２と、このパンチローラ５２と同軸上に設けた偏心カム５４と、偏心カム５４により用紙面に対して上下方向に往復運動するパンチ棒５６を有する。レジストモータ４５が回転しているときに、電磁スプリングクラッチ５１が動作すると、レジストモータ４５の回転運動がパンチローラ５２および偏心カム５４に伝わり、パンチ棒５６が上下運動する。パンチ棒５６の真下に用紙５があるとき、この用紙５にバインダ用パンチ穴があけられる。
【００２２】
図４は、図３で示したレジストローラ４４、パンチ棒５６、および搬送ローラ４６を用紙面と平行する方向から見た概略図である。用紙搬送方向から搬入された用紙５は、ここでは図示しない搬送経路４８上にレジストローラ４４により送り出され、搬送ローラ４６により搬出される。しかし、用紙５の後端がレジストローラ４４よりも搬送方向上流側にあるときに、レジストローラ４４が回転し続ける一方、搬送ローラ４６が一旦停止すると、図４のように、レジストローラ４４と搬送ローラ４６の間で用紙５の湾曲部５８（以下、「パンチループ５８」という。）が形成される。この状態にあるとき、パンチループ５８は、用紙５に搬送方向の弾性復元力を与えるが、用紙５は搬送方向下流側において、搬送ローラ４６により保持されているので、この弾性復元力により、用紙５の後端がレジストローラ４４に押し付けられる。こうして、用紙５の後端の位置をレジストローラ４４の位置に確実に揃えることができる。さらに、この状態でパンチ棒５６が上下運動すると、用紙５の後端から一定の距離を隔てた位置に正確にパンチ穴をあけることができる。その後、搬送ローラ４６が再度回転することにより、用紙５を搬送方向下流側に搬送し、搬出口６０から排紙トレイ６２に排紙することができる。
【００２３】
ところで、パンチループ５８の湾曲の度合い（以下、「パンチループ量」という。）は、搬送ローラ４６を一旦停止させたときに、搬送ローラ４６に保持された用紙５の位置から用紙５の後端位置までの距離に依存する。例えば、用紙５が前端により近い位置で搬送ローラ４６に保持されたとき、用紙５の保持された位置から用紙５の後端までの距離はより長くなる。このときのパンチループ量は、より大きくなる。換言すると、パンチループ量は、搬送ローラ４６により保持される用紙５の位置に左右される。
【００２４】
用紙５は、搬送経路４８内を一定速度で搬送される。したがって、用紙５の特定部位（例えば、用紙５の後端）が固定された基点を通過する時刻を基準として、搬送ローラ４６を一旦停止するまでの時間を任意に選択することにより、搬送ローラ４６により保持される用紙５の位置を選択でき、これにより、パンチループ量を調整することができる。本発明のフィニッシャ３においては、用紙５の後端が画像形成装置２に内蔵された排紙センサ２２を通過した時点を基準として、搬送ローラ４６を一旦停止させるタイミングを計る。
【００２５】
従来のフィニッシャ３に内蔵されていた用紙５の後端を検出するセンサを省略して、複写機２に内蔵された同機能の排紙センサ２２を用いて、搬送ローラ４６を一旦停止させるタイミングを計るようにしたので、フィニッシャ３内の搬送経路を短縮することができ、センサの部品点数を減らすことができる。
【００２６】
また、適正なパンチループ量は、普通紙や厚紙などの用紙５の材質により、変化する。例えば、厚紙に普通紙と同じパンチループ量を与えると、厚紙に皺や折り目が生じることがある。したがって、用紙５の材質によりパンチループ量を変更できるようにすることが好ましい。
【００２７】
なお、上述のとおり、本発明のフィニッシャ３においては、搬送ローラ４６を一旦停止させるタイミングを計る基準を、用紙５の後端が複写機２に内蔵された排紙センサ２２を通過した時点としているために、従来式のフィニッシャ３に内蔵された排紙センサ２２を用いる場合と比べると、予定した適正なパンチループ量に対して実際のパンチループ量が多少ばらつきやすくなる。したがって、たとえ、パンチループ量が多少ばらつくことがあっても、これを適正なパンチループ量に補正する手段を設けておけば万全である。つまり、ユーザによりパンチループ量を微調整できることが望ましい。
【００２８】
続いて、図５および図６で示すフローチャート、および図７で示すタイミングチャートを参照しながら、本発明に係る画像形成システム１におけるパンチ穿孔処理の動作について説明する。
【００２９】
上述のとおり、ユーザは、操作パネル１０を用いて画像形成システム１の処理内容をプログラムすることができ、例えば、複写枚数の他に、パンチ穿孔処理（パンチモード）を実行するかどうか、用紙５の材質（普通紙、厚紙）、および標準的なパンチループ量に対する調整量を任意に選択することができる。
【００３０】
ステップＳ１で、ユーザが操作パネル１０のスタートボタンを押すと、複写機制御部３０は、操作パネル１０からスタート信号を受け、複写機２の各構成部品を駆動し、一連の複写処理を実行する。このとき、画像が形成された用紙５は、排紙経路２０まで搬送される。
【００３１】
また、このスタート信号は、複写機制御部３０を介してフィニッシャ制御部４０に通信され、ステップＳ２で、フィニッシャ制御部４０は、レジストモータ４５および搬送モータ４７の回転駆動させる（図７、ｔ＝Ｔstart）。
【００３２】
ステップＳ３で、複写機制御部３０は、ユーザによりパンチモードが選択されていたかどうかを判断し、選択された場合のみ、このパンチモード信号をフィニッシャ制御部４０に通信する。
【００３３】
ステップＳ４で、用紙５の後端が、複写機２の排紙経路２０上に設けた排紙センサ２２を通過するまで、以後の処理を待機する。そして、用紙５の後端が排紙センサ２２を通過したことを示す信号は、複写機制御部３０を介して、フィニッシャ制御部４０に通信される（図７、ｔ＝Ｔ0）。
【００３４】
ステップＳ５で、フィニッシャ制御部４０は、パンチループ量を調整する必要があるどうかを判断する。例えば、ユーザが操作パネル１０を介して厚紙の用紙５を選択した場合、フィニッシャ制御部４０は、パンチループ量を調整する必要があると判断する。厚紙の用紙５が選択された場合、そのパンチループ量は普通紙の場合よりも小さくしておく必要がある。パンチループ量を小さくするためには、用紙５の後端が排紙センサ２２を通過してから（図７、ｔ＝Ｔ0）、搬送ローラ４６を一旦停止させるまでの（図７、ｔ＝Ｔ1）時間を、普通紙の場合よりも長く設定する必要がある。つまり、厚紙の用紙５が選択された場合（Ｙｅｓの場合）、ステップＳ６で、上述のＴ1の値としてより遅いタイミングであるＢを設定する。普通紙の用紙５が選択された場合（Ｎｏの場合）、ステップＳ７で、普通紙の標準的なパンチループ量を与えるようなタイミングであるＡをＴ1の値として設定する。これにより、用紙５が厚紙か普通紙によって、用紙５の材質に適したパンチループ量を与えることができる。
【００３５】
あるいは、複写機２とフィニッシャ３の組み合わせに依存して（機差などに依存して）、たとえ、実際の適正なパンチループ量が予定した標準のパンチループ量に対して多少ばらついた場合であっても、ユーザは、操作パネル１０を用いてパンチループ量を微調整することができる。ユーザが操作パネル１０を用いて、標準のパンチループ量に対する補正値を予め入力していた場合、ステップＳ５で、フィニッシャ制御部４０は、パンチループ量を調整する必要があると判断する。この場合（Ｙｅｓの場合）、ステップＳ６で、この補正値に基づいて増減されたパンチループ量を与えるようなタイミングであるＢを上述のＴ1の値として設定する。また、標準のパンチループ量に対する補正値が予め入力されていなかった場合（Ｎｏの場合）、ステップＳ７で、予定した標準のパンチループ量を与えるようなタイミングＡを上述のＴ1の値として設定する。こうして、たとえ、パンチループ量が多少ばらつくことがあっても、ユーザは、操作パネル１０を用いてパンチループ量を微調整することができるので万全である。
【００３６】
ステップＳ８で、フィニッシャ制御部４０は、ステップ５ないし７で決定した時刻（ｔ＝Ｔ1）が経過するまで、レジストモータ４５と搬送モータ４７の回転駆動する。
【００３７】
ステップＳ８で、時刻（ｔ＝Ｔ1）が経過したことが検出されると、ステップＳ９で、フィニッシャ制御部４０は、レジストモータ４５の回転を維持する一方、搬送モータ４７の回転だけを一旦停止する。これにより、上述のとおり、用紙５は、搬送方向下流側において搬送ローラ４６により保持され、搬送方向上流側において継続して搬送方向に送り出されるため、パンチループ５８が形成される。この状態で、所定時刻（図７、ｔ＝Ｔ2）が経過すると、図４で示したような適正なパンチループ５８が形成される。
【００３８】
ステップＳ１０で、時刻（ｔ＝Ｔ2）が経過したことが検出されると、ステップＳ１１で、フィニッシャ制御部４０は、電磁スプリングクラッチ５１を動作させ、ステップＳ１２で、所定時刻（ｔ＝Ｔ3）が経過したことが検出されると、ステップＳ１３で電磁スプリングクラッチ５１を停止させる。つまり、電磁スプリングクラッチ５１を時刻（ｔ＝Ｔ2）から時刻（ｔ＝Ｔ3）の間、動作させることにより、パンチローラ５２および偏心カム５４を１回転だけ駆動させる。こうして、パンチ棒５６を用紙面に対して垂直方向に１往復運動させ、用紙５にバインダ用穴をあける。
【００３９】
ステップＳ１４で、時刻（ｔ＝Ｔ3）が経過したことが検出されると、ステップＳ１５で、フィニッシャ制御部４０は、所定時刻（図７、ｔ＝Ｔ4）において、停止させておいた搬送モータ４７の回転を再開することにより、用紙５を搬出口６０から排紙トレイ６２に排紙する。
【００４０】
ステップＳ１６で、フィニッシャ制御部４０は、複写機制御部３０を介して、複写処理を終了するかどうかを判断する。終了せず、続けて複写処理する場合（Ｎｏの場合）は、上述のステップ３からの処理を反復して実行し、終了する場合（Ｙｅｓの場合）はレジストモータ４５の回転も停止させ、複写処理を終了する。
【００４１】
なお、図７で示すＴ1ないしＴ4は、Ｔ0を基点とした所定時間が経過した後の時刻であって、所定時間の計測に際しては、例えば、フィニッシャ制御部４０に内蔵されたタイマ（図示せず）を利用することができる。
【００４２】
【発明の効果】
本発明は、上述のとおり、以下の効果を有する。
すなわち、請求項１の画像形成システムによれば、画像形成装置に内蔵された排紙センサからの情報を用いて用紙仕上げ処理を行うことにより、用紙仕上げ装置を小型化するとともに、センサの部品点数を１つ少なくでき、生産コストを削減することができる。
【００４３】
また、請求項２の画像形成システムによれば、搬送経路上にある用紙に湾曲部を与えた上でパンチ穿孔処理するので、用紙が斜行して搬送された場合であっても、用紙後端から正確な距離にある位置にパンチ穴をあけることができる。
【００４４】
さらに、請求項３の画像形成システムによれば、例えば、普通紙または厚紙の用紙の材質に対して適当な湾曲の度合いを用紙に与えることができる。
【図面の簡単な説明】
【図１】  図１は、本発明に係る画像形成システムの構成を示す概略図である。
【図２】  図２は、本発明に係る画像形成システムの構成を示すブロック図である。
【図３】  図３は、図２の用紙仕上げ装置の一部構成部品（レジストローラ、パンチ穿孔部、および搬送ローラ）を示す斜視図である。
【図４】  図４は、図３で示したレジストローラ、パンチ棒、および搬送ローラを用紙面と平行する方向から見た概略図である。
【図５】  図５は、本発明に係る画像形成システムのパンチ穿孔処理の動作を示すフローチャートである。
【図６】  図６は、本発明に係る画像形成システムのパンチ穿孔処理の動作を示すフローチャートである。
【図７】  図７は、本発明に係る画像形成システムのパンチ穿孔処理の動作を示すタイミングチャートである。
【図８】  図８は、従来の画像形成システムの構成を示す概略図である。
【図９】  図９は、従来の画像形成システムの構成を示すブロック図である。
【符号の説明】
１  画像形成（複写機）システム、２  画像形成装置（複写機）、３  用紙仕上げ装置（フィニッシャ）、４  原稿、５  用紙、１０  操作パネル、１２  自動原稿搬送装置（ＡＤＦ）、１６  原稿読取装置、１８  用紙トレイ、１９  画像形成部、２０  排紙経路、３０  複写機制御部、２２  排紙センサ、２４  排紙口、２６  排紙ローラ、４０  フィニッシャ制御部、４２  搬入口、４４  レジストローラ、４５  レジストモータ、４６  搬送ローラ、４７  搬送モータ、４８  搬送経路、５０  パンチ穿孔部、５１  電磁スプリングクラッチ、５２  パンチローラ、５４  偏心カム、５６  パンチ棒、５８  パンチループ、６０  搬出口、６２  排紙トレイ。
【図１】
0003783509.tif 000002
【図２】
0003783509.tif 000003
【図３】
0003783509.tif 000004
【図４】
0003783509.tif 000005
【図５】
0003783509.tif 000006
【図６】
0003783509.tif 000007
【図７】
0003783509.tif 000008
【図８】
0003783509.tif 000009
【図９】
0003783509.tif 000010